【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
合わせガラス用のポリビニルアセタール樹脂フィルムであって、ポリビニルアセタール樹脂フィルムを構成する樹脂組成物中のポリビニルアセタール樹脂の、ブルックフィールド型（Ｂ型）粘度計を用いて２０℃、３０ｒｐｍで測定された、濃度１０質量％のトルエン／エタノール＝１／１（質量比）溶液の粘度が２００ｍＰａ・ｓより大きく、前記樹脂組成物に含まれるポリビニルアセタール樹脂の含有量が、当該樹脂組成物の総質量に基づいて５０質量％以上であり、ポリビニルアセタール樹脂フィルム中の可塑剤の量がポリビニルアセタール樹脂フィルムを構成する樹脂組成物の総質量に基づいて０〜２０質量％であり、１０〜３５０μｍの厚さを有する、ポリビニルアセタール樹脂フィルム。
【請求項２】
前記ポリビニルアセタール樹脂フィルムと、アセタール化度６９〜７１モル％かつアセチル基としての酢酸ビニル単位の含有量１モル％以下のポリビニルブチラール樹脂７２質量％およびトリエチレングリコール−ビス−（２−エチルヘキサノエート）２８質量％を含有する厚さ０．７６ｍｍの１枚の可塑化ポリビニルブチラール樹脂層とを接合して測定された耐熱クリープ性を示す値が１０ｍｍ以下であり、
耐熱クリープ性を示す値の測定は、前記ポリビニルアセタール樹脂フィルムと前記可塑化ポリビニルブチラール樹脂層とを接合して幅１００ｍｍおよび長さ２７０ｍｍの寸法にカットした試料を、長さ方向に３０ｍｍずらした幅１００ｍｍ、長さ３００ｍｍおよび厚さ３ｍｍのガラスＡおよびＢの間に収まるよう、ガラスＡ／ポリビニルアセタール樹脂フィルム／可塑化ポリビニルブチラール樹脂層／ガラスＢの順に配置して接合し、ガラスＢの、可塑化ポリビニルブチラール樹脂層との接合面と反対側の面に１ｋｇの鉄板を接着剤で接着し、長さ方向に３０ｍｍ突出している部分を上にして、鉄板付き試料が水平面に対して８０〜９０°となり、ガラスＢの鉄板が接着された部分が試料上部または上面となるようにガラスＡを固定した状態で、１００℃の恒温槽に１週間放置した後に、ガラスＢのずれた距離（ｍｍ）を測定する方法により行う、
請求項１に記載のポリビニルアセタール樹脂フィルム。
【請求項３】
前記ポリビニルアセタール樹脂フィルムを、アセタール化度６９〜７１モル％かつアセチル基としての酢酸ビニル単位の含有量１モル％以下のポリビニルブチラール樹脂７２質量％およびトリエチレングリコール−ビス−（２−エチルヘキサノエート）２８質量％を含有する厚さ０．３８ｍｍの２枚の可塑化ポリビニルブチラール樹脂層の間に配置して接合し、請求項２において記載した耐熱クリープ性を示す値の測定と同様の方法で測定される耐熱クリープ性を示す値が１０ｍｍ以下である、請求項１または２に記載のポリビニルアセタール樹脂フィルム。
【請求項４】
前記ポリビニルアセタール樹脂フィルムを構成する樹脂組成物中のポリビニルアセタール樹脂の分子量分布が２．７以上である、請求項１〜３のいずれかに記載のポリビニルアセタール樹脂フィルム。
【請求項５】
前記ポリビニルアセタール樹脂フィルムを構成する樹脂組成物中のポリビニルアセタール樹脂が、粘度平均重合度の異なる少なくとも２つのポリビニルアセタール樹脂の混合物であるか、または粘度平均重合度の異なる少なくとも２つのポリビニルアルコール系樹脂の混合物のアセタール化物である、請求項１〜４のいずれかに記載のポリビニルアセタール樹脂フィルム。
【請求項６】
前記ポリビニルアセタール樹脂フィルムを構成する樹脂組成物がアルカリ金属塩および／またはアルカリ土類金属塩を含む、請求項１〜５のいずれかに記載のポリビニルアセタール樹脂フィルム。
【請求項７】
前記ポリビニルアセタール樹脂フィルムを構成する樹脂組成物中のポリビニルアセタール樹脂の水酸基量が２６〜３４モル％である、請求項１〜６のいずれかに記載のポリビニルアセタール樹脂フィルム。
【請求項８】
前記ポリビニルアセタール樹脂フィルムを構成する樹脂組成物中のポリビニルアセタール樹脂の水酸基量が１２〜２６モル％である、請求項１〜６のいずれかに記載のポリビニルアセタール樹脂フィルム。
【請求項９】
前記ポリビニルアセタール樹脂フィルムの少なくとも片面に機能性層を有する、請求項１〜８のいずれかに記載のポリビニルアセタール樹脂フィルム。
【請求項１０】
前記ポリビニルアセタール樹脂フィルムの少なくとも片面に、機能性層を構成する材料をコート、印刷またはラミネートする、請求項９に記載のポリビニルアセタール樹脂フィルムの製造方法。
【請求項１１】
前記機能性層が導電層である、請求項９に記載のポリビニルアセタール樹脂フィルム。
【請求項１２】
前記ポリビニルアセタール樹脂フィルムの導電層を有する面上に別のポリビニルアセタール樹脂フィルムを有する、請求項１１に記載のポリビニルアセタール樹脂フィルム。
【請求項１３】
前記導電層が金属箔に基づく、請求項１１または１２に記載のポリビニルアセタール樹脂フィルム。
【請求項１４】
前記ポリビニルアセタール樹脂フィルムと前記機能性層との間に、前記ポリビニルアセタール樹脂フィルムとの屈折率差が０．０１以上の接着剤層を有さない、請求項９に記載のポリビニルアセタール樹脂フィルム。
【請求項１５】
前記ポリビニルアセタール樹脂フィルムと前記機能性層との間に接着剤層を有さない、請求項９に記載のポリビニルアセタール樹脂フィルム。
【請求項１６】
前記導電層が線状、格子状または網状の形状を有する、請求項１１〜１３のいずれかに記載のポリビニルアセタール樹脂フィルム。
【請求項１７】
前記導電層が線幅０．０１〜５ｍｍの複数の線状導電性材料で構成されている、請求項１１〜１３および１６のいずれかに記載のポリビニルアセタール樹脂フィルム。
【請求項１８】
前記導電層が線幅１〜３０μｍの複数の線状導電性材料で構成されている、請求項１１〜１３および１６のいずれかに記載のポリビニルアセタール樹脂フィルム。
【請求項１９】
前記導電層を形成する導電性材料が銀または銅を含んでなる、請求項１１〜１３および１６〜１８のいずれかに記載のポリビニルアセタール樹脂フィルム。
【請求項２０】
前記導電層の片面または両面が低反射率処理されている、請求項１１〜１３および１６〜１９のいずれかに記載のポリビニルアセタール樹脂フィルム。
【請求項２１】
前記導電層の表面の全ての面が低反射率処理されている、請求項１１〜１３および１６〜１９のいずれかに記載のポリビニルアセタール樹脂フィルム。
【請求項２２】
前記低反射率処理が黒化処理である、請求項２０または２１に記載のポリビニルアセタール樹脂フィルム。
【請求項２３】
前記導電層に接続されたバスバーを有する、請求項１１〜１３および１６〜２２のいずれかに記載のポリビニルアセタール樹脂フィルム。
【請求項２４】
バスバーが導電層と一体成形されたものである、請求項２３に記載のポリビニルアセタール樹脂フィルム。
【請求項２５】
金属箔とポリビニルアセタール樹脂フィルムとを接合させる工程、および前記工程で得られた金属箔付ポリビニルアセタール樹脂フィルムから導電層を形成する工程を含む、請求項１３および１６〜２４のいずれかに記載のポリビニルアセタール樹脂フィルムの製造方法。
【請求項２６】
複数の透明基材の間に、請求項９および１１〜２４のいずれかに記載のポリビニルアセタール樹脂フィルムを有する、積層体。
【請求項２７】
複数の透明基材の間に、請求項２３または２４に記載のポリビニルアセタール樹脂フィルムを有する積層体であって、前記バスバーに接続された電極を有する積層体。
【請求項２８】
前記ポリビニルアセタール樹脂フィルムが前記透明基材と直接接している、請求項２６または２７に記載の積層体。
【請求項２９】
複数の透明基材の間に、可塑化ポリビニルアセタール樹脂層をさらに有する、請求項２６〜２８のいずれかに記載の積層体。
【請求項３０】
前記ポリビニルアセタール樹脂フィルムを構成する樹脂組成物中のポリビニルアセタール樹脂の水酸基量と、前記可塑化ポリビニルアセタール樹脂層を構成する樹脂組成物中のポリビニルアセタール樹脂の水酸基量との差が、ビニルアルコール単位の質量％の差として４質量％以下である、請求項２９に記載の積層体。
【請求項３１】
前記機能性層または前記導電層が前記可塑化ポリビニルアセタール樹脂層と直接接している、請求項２９または３０に記載の積層体。
【請求項３２】
前記可塑化ポリビニルアセタール樹脂層が、特定波長光遮蔽機能、遮熱機能、遮音機能、発光機能、ディスプレイ機能および二重像防止機能からなる群から選択される少なくとも１つの機能を有する、請求項２９〜３１のいずれかに記載の積層体。